(57)【要約】      （修正有）【課題】果汁とスムージー圧搾機能を兼ね備えた圧搾機を提供する。【解決手段】圧搾機２０は、モーター台座１、ターンテーブル２、ミドルテーブル３、刀盤４、枠カバー５Ａ、上蓋６及び圧入管７を備え、上蓋６の挿管６１に刀盤蓋９を新たに備える。この刀盤蓋９は挿管６１の下部に結合可能な筒状部を有し、この筒状部の底縁に外側に向けて突出され、刀盤４と上下対応関係を形成する水平圧板９２と、この水平圧板９２の外縁に下方に向けて延伸する除け壁９３とにより構成される。【選択図】図９
0003116010.tif 000002
【実用新案登録請求の範囲】
【請求項１】
モーターを設けたモーター台座と、
前記モーターの回転軸に結合されたターンテーブルと、
前記モーター台座に結合されたミドルテーブルと、
前記ターンテーブル中央のスクリューに螺合された刀盤と、
前記ターンテーブル上に配置され、前記刀盤に固定されたカバーと、
前記ミドルテーブルに結合され、中央挿管及び中央挿管に挿入可能な圧入管を有する上蓋とを備え、
前記上蓋の挿管の底部に、外側に前記刀盤の面積より大きく突出し、かつ前記刀盤に対して小間隔を保持して、前記刀盤と上下対応関係をなす水平圧板と、前記水平圧板の外縁に下方に向けて延伸し、前記刀盤に対して小間隔を保持する除け壁とを有し、前記刀盤を被覆する刀盤蓋を具備し、
果汁とスムージー圧搾機能を兼ね備えたことを特徴とする圧搾機。
【請求項２】
刀盤蓋に内側に突出する水平除け縁を有し、前記水平除け縁に挿管の底縁が衝接される請求項１に記載の圧搾機。
【請求項３】
刀盤蓋と上蓋の挿管が一体成形される請求項１に記載の圧搾機。
【請求項４】
カバーは枠カバーで、支持用網枠と防漏性底板とより組み立てられる請求項１乃至３のいずれかに記載の圧搾機。
【請求項５】
カバーはフィルターなしの錐形カバーからなる請求項１乃至３のいずれかに記載の圧搾機。
【請求項６】
刀盤の頂面中央点にＶ字形カッターを備え、前記Ｖ字形カッターは二枚のカッターにより構成され、前記中央点の円心位置で交差される請求項１乃至５のいずれかに記載の圧搾機。
【請求項７】
二枚のカッターはやや円弧状を呈し、カッターの片側が鋭く、片側は刀盤と連結され、かつ二枚のカッターの長さが異なる請求項６に記載の圧搾機。
【請求項８】
ミドルテーブルに出口を塞ぐ除け板装置を備える請求項１乃至７のいずれかに記載の圧搾機。
【請求項９】
除け板装置は、プッシューボタンと、スライディングボードとを有し、前記スライディングボードは左右二枚に分けられ、そのうちの一枚は網板で、もう一枚は密封除け板である請求項１乃至８のいずれかに記載の圧搾機。
【考案の詳細な説明】
【技術分野】
【０００１】
本考案は、果汁とスムージー圧搾機能を兼ね備えた圧搾機に関する。
【背景技術】
【０００２】
従来より、果物から果汁を搾り出すのに、絞り機や圧搾機が使われている。この種の絞り機が、図１乃至図３に示されている。図１に示すように、この絞り機１０は、モーター１１を設置されたモーター台座１と、ターンテーブル２と、ミドルテーブル３と、刀盤４と、カバー５と、上蓋６とにより組み立てられている。これら各部について見ると、図２に示すように、モーター１１はモーター台座１上に回転軸を上方に向けて設置される。ターンテーブル２はモーター１１の回転軸に結合されて、モーター１１上に配置される。ミドルテーブル３は周面下部に出口３１が設けられ、台座１上でターンテーブル２の周囲に設置される。カバー５は周面がフィルター５１になっていて、ミドルテーブル３内で、ターンテーブル２上に設置される。刀盤４は下部に刀盤台座４１を有し、ミドルテーブル３内でカバー５の上から、ターンテーブル２の中央に突出されたスクリュー２１に螺合されて、カバー５を固定した状態に設置される。蓋６は中央に挿管６１とこの挿管６１内に挿入可能な圧入管（フィードチューブ）７が設けられ、また側端に排出槽６３が設けられ、ミドルテーブル３の上部に結合される。なお、この絞り機１０には受けバケツ４０が併せて設けられ、この受けバケツ４０が蓋６の排出槽６３の下部に設置される（図３参照）。
【０００３】
この絞り機１０で、果汁を絞る場合、図３に示すように、（モータ１１を駆動し）果物ブロック８を挿管６１の中に入れ、この挿管６１の中にフィードチューブ７を挿入して、下方に向って押し込むことより、果物ブロック８が刀盤４の高速回転に研磨され、直ちにくず８１になって、切線方向に沿ってカバー５の中に導入される。このとき、カバー５とターンテーブル２はシンクロ高速回転されているので、遠心作用によりカバー５の中のくず８１からフィルター５１を通して果汁８２が分離され、果汁８２がミドルテーブル３に入っていく。この果汁８２は出口３１から排出され、カップなどの容器３０の中に注入される。一方、くず８１は上蓋６の側端にある排出槽６３を通して排出され、受けバケツ４０に導入される。なお、これに関連する絞り機は特許文献１に開示されている。
【特許文献１】特開２００２−１２５８４７公報
【考案の開示】
【考案が解決しようとする課題】
【０００４】
しかしながら、従来の絞り機では、くずを出す機能と果汁を絞る機能が付いているが、スムージーの設備及び構造がなく、スムージー圧搾機能がないという問題がある。スムージーには繊維が含まれ、かつ用途が広汎で、例えばトーストに付けたり、ケーキパイを作ったり、野菜サラダを作ったり、また幼児或いは患者の栄養補給食品に最適であるが、伝統的な絞り機ではスムージーを作ることができないから、ＤＩＹ方式で必要なスムージーを作り出すことができない。
【０００５】
本考案は、このような従来の課題に鑑みなされたもので、果汁とスムージー圧搾機能を兼ね備えた圧搾機を提供すること、を目的とする。
【課題を解決するための手段】
【０００６】
上記目的を達成するために、本考案の圧搾機の構造は、次のとおりである。一つのモーターを設けたモーター台座１、一つのモーター回転軸と結合するターンテーブル２、一つのモーター台座１と結合するミドルテーブル３、一つのターンテーブルの中央スクリューと螺合する刀盤４、一つの刀盤４によりターンテーブル２に固定するカバー５、一つのミドルテーブル３と結合する上蓋６及び一つの上蓋６に挿入可能な中央挿管内の圧入管７により組み立てる。その特徴は、上蓋６の挿管６１の底部に刀盤蓋９を増設し、刀盤蓋９には外側に突出し、刀盤４と上下対応関係を形成する水平圧板９２を設け、かつ水平圧板９２と刀盤４との間に、果物ブロックを刀盤４でスムージーに研磨して排出する間隔９ａがあって、水平圧板９２の外縁に下方に向って垂直に延伸する除け壁９３を設け、除け壁９３と刀盤４の外側にスムージーを下方に向って排出する間隔９ｂがある。
【０００７】
さらに各部について次のように具体化することが好ましい。刀盤蓋９の底縁には内側に突出する水平除け縁９１により、挿管６１の底縁をストップする。あるいは刀盤蓋９と上蓋の挿管６１の底部を一体成形とする。カバー５は支持用網枠及び防漏性底板により組み立てた枠カバ５Ａーである。刀盤４の頂面中央点にＶ字形カッター４３を設け、そのＶ字形カッターを二枚のカッター４３ａ、４３ｂより構成し、中央点の円心位置で交差する。この場合、二枚のカッター４３ａ、４３ｂはやや円弧状を呈し、カッターの片側が鋭く、片側は刀盤と連結し、かつ二枚のカッターの長さが異なっている。ミドルテーブル３の出口３１の上方に出口を塞ぐ除け板装置３Ａを設ける。この場合、除け板装置３Ａにプッシューボタン３２を設け、その下方にスライディングボード３３と連結し、スライディングボードを左右二枚に分けて、そのうちの一枚を網板３３１とし、もう一枚を密封除け板３３２とする。カバー５はフィルターなしの錐形カバー５Ｂである。
【考案の効果】
【０００８】
本考案の圧搾機は、上記構成を有し、次のような作用効果を奏することができる。刀盤蓋９と上蓋６の挿管６１を組み合せ、及びカバー５を枠カバー５Ａ或いは錐形カバー５Ｂに変更すると、刀盤蓋９の水平圧板９２及び除け壁９３と刀盤４との間の配合及び生じた極小間隔９ａ、９ｂによって、果物ブロック８が間隔９ａ、９ｂの中で絶えずにスムージーに研磨される。枠カバー５Ａ或いは錐形カバー５Ｂをカバー５に変更すると、圧搾機から果汁絞り機能に回復する。カバー５は枠カバー５Ａである場合、研磨されたスムージーは枠カバー５Ａからミドルテーブル３に導入された後、ミドルテーブルの出口３１から導出される。カバー５が錐形カバー５Ｂである場合、研磨されたスムージーは錐形カバーの上方から導出された後、上蓋６の排出槽６３から受けバケツ４０の中に導入される。両方ともスムージーを作り出すことができる。刀盤４の頂面にＶ字形カッター４３を設置すると、刀盤研磨時に生じる中央死角が防止され、また除け板装置３Ａより、果汁の流出量をコントロールし、また果汁の流出をブロックする。
【考案を実施するための最良の形態】
【０００９】
以下、本考案の実施の形態について、図を用いて説明する。図４乃至図９に本考案の第１の実施の形態を示している。図４に示すように、圧搾機２０は、従来と同様に、モーター台座１、ターンテーブル２、ミドルテーブル３、刀盤４、枠カバー５Ａ、上蓋６及び圧入管７を備える。これら各部については既述のとおりで、ここでは同一の符号を付してその重複した説明を省略する。なお、上蓋６には、図２に示すようなくずを排除する排出槽６３がなく、この実施の形態では、このような排出槽６３を設置しても設置しなくてもいずれでもよい。この圧搾機２０には、特に、上蓋６の挿管６１に一つの刀盤蓋９が増設された。この組み立て後の状態は図５に示すとおりである。
【００１０】
この圧搾機２０の特徴は刀盤蓋９にある。この刀盤蓋９は上蓋６の挿管６１の下に結合され、刀盤４に対応する形状を採っている。この結合構造は多種多様であり、どんな固定方式でもかまわない（したがって、どのような結合構造であったも本考案に含まれる）。この刀盤蓋９の場合、図６に示すように、挿管６１の下部に結合可能な筒状部を有している。この筒状部の底縁には内側に向けて突出する水平除け縁９１が設けられている。挿管６１の下部を筒状部に挿入し、挿入端を底縁の水平除け縁９１に衝接（ストップ）させることにより、刀盤蓋９が挿管６１の下部にセットされる。また、この刀盤蓋９は、筒状部の底縁に外側に向けて突出され、刀盤４と上下対応関係を形成する水平圧板９２が設けられている。この水平圧板９２の面積は刀盤４より大きく、刀盤蓋９が挿管６１の底部に結合された状態で両者（水平圧板９２と刀盤４）の間に極小の間隔９ａが保持される。また、この水平圧板９２の外縁に下方（垂直）に向けて延伸する除け壁９３が設けられ、この除け壁９３と刀盤４の外縁に極小の間隔９ｂが保持される。このようにして水平圧板９２と刀盤４とにより、果物ブロックがスムージーに研磨され、このスムージーが極小の間隔９ａ、９ｂに沿って、下方に流されるようになっている。
【００１１】
また、刀盤蓋９は、図７に示すように、水平圧板９２に除け壁９３（図６参照）のない構造にしてもよい。このようにしても、水平圧板９２と刀盤４とにより、果物ブロックをスムージーに研磨することができる。なお、図７の（除け壁９３のない）刀盤蓋９と図６の除け壁９３付きの刀盤蓋９とを比べると、後者の場合、スムージーと刀盤４との研磨時間が延長されるので、より細かく研磨される利点がある。また、図７の刀盤蓋９の底面には、多数の円形或いは螺旋形の浅い溝９４が増設され、これが、スムージーが刀盤４で内側から外側への移動するのに役立っている。
【００１２】
この刀盤蓋９と刀盤４を使用する場合、カバー５に図４に示す枠カバー５Ａが使用される。この枠カバー５Ａは上円形と数本の垂直支持用網枠５２及び防漏性底板５３とにより組み立てられている。枠カバー５Ａは従来のようなフィルターがないので、生成されたスムージー（図９参照）が枠カバー５Ａの遠心回転作用により、直接ミドルテーブル３に導入され、また出口３１から排出される。この刀盤蓋９を挿管６１の底部から取り外し、枠カバー５Ａを従来のフィルターカバー５に変更することにより、この圧搾機２０は果汁絞り機能に戻される。したがって、既述のとおり、フィルターカバー５の遠心回転作用により、くず８１と果汁８２が分離される（図３参照）。
【００１３】
また、この実施の形態では、ミドルテーブル３の出口３１が改良され、除け板装置３Ａが新たに設けられている。この除け板装置３Ａのデザインの種類は多数あり、図４にその一例を示している。この除け板装置３Ａの場合、ミドルテーブル３の出口３１の上方のスライドスロット３４が設けられている。この中にプッシューボタン３２が設けられ、このプッシューボタンの後方の下にスライディングボード３３が連結されている。スライディングボード３３の右板は網板３３１で、左板は除け板３３２である。プッシューボタン３２を左右に移動することにより、スライディングボード３３がシンクロ移動する。網板３３１が出口３１に移動されると、果汁はスムーズに流れ、除け板３３２が出口３１に移動されると、スムージーは流れない（図９参照）。また、スムージー８３がいっぱいになった時は、上蓋６を開け、柄杓などを使って取り出せばよい。なお、この除け板装置３Ａは特に必要な構造ではないが、この除け板装置３Ａがあれば本機２０の利便性を高め、なくても果汁とスムージーが出口３１から流れ出るだけで、本機２０の使用に影響するものではない。
【００１４】
さらに、この実施の形態では、図８に示すように、刀盤４の頂面に複数本のカッターライン４２が放射状の配列で、かつ数個の鋸の歯を組み合せて設置され、特に刀盤４中央の研磨死角区にＶ字形カッター４３が設置されている。このＶ字形カッター４３の二枚のカッターはやや円弧状を呈し、またカッターの片側が鋭く、片側は刀盤と連結されている。その中の一枚のカッター４３ａは長く、もう一枚のカッター４３ｂが短くなっている。二枚のカッターは中央点の円心位置で交差するので、研磨時の中央の死角が防止され、また長いカッターと短いカッターにより長さが違う繊維の切断に役立つ。またＶ字形カッター４３は一次打ち抜き成形により形成することができ、製造に便利である。
【００１５】
図１０に本考案の第２の実施の形態を示している。図１０に示すように、この実施の形態では、刀盤蓋６２は上蓋６の挿管６１の下に一体成形により設けられている。この刀盤蓋６２は、図６に例示した刀盤蓋９とは挿管６１との結合方式が異なるだけで、当該刀盤蓋９と同じ構造を備えている。この刀盤蓋６２の場合、スムージーを搾る時は、フィルターなしの枠カバー５Ａを使用する。また、この刀盤蓋６２はスムージー機能しかないので、果汁を搾り出すために、従来のフィルターカバー５を使用する必要がある。このフィルターカバー５の高速遠心回転作用で、くず８１と果汁８２を分離する。
【００１６】
図１１に本考案の第３の実施の形態を示している。図１１に示すように、この実施の形態では、上記枠カバー５Ａに代えて、錐形カバー５Ｂが使用されている。（なお、この場合、上蓋６に排出槽６３が設けられている。）この錐形カバー５Ｂはフィルター（図２のフィルター５１参照）がなく、また網枠にも通し穴がない（図４の網枠５２参照）ので、刀盤蓋９より研磨されたスムージーは錐形カバー５Ｂに収集され、また錐形カバー５Ｂの高速回転作用により、スムージー８３は錐形カバー５Ｂの上縁より放出され、排出槽６３に導入された後、受けバケツ４０に導入される。この場合、受けバケツ４０に導入されるのはスムージー８３であって、くずではない。
【００１７】
なお、上記各実施の形態では、果汁とスムージー圧搾機能を兼ね備えた圧搾機について例示したが、各圧搾機を、単一機能のスムージー圧搾機としてもよい。
【図面の簡単な説明】
【００１８】
【図１】従来の絞り機の外観斜視図
【図２】同絞り機の分解斜視図
【図３】同絞り機の使用時の断面図
【図４】本考案の第１の実施の形態における圧搾機の分解斜視図
【図５】同圧搾機の外観斜視図
【図６】同圧搾機の要部断面図
【図７】同圧搾機の要部断面図
【図８】同圧搾機の要部平面図
【図９】同圧搾機の使用時の断面図
【図１０】本考案の第２の実施の形態における圧搾機の要部斜視図
【図１１】本考案の第３の実施の形態における圧搾機の断面図
【符号の説明】
【００１９】
２０  圧搾機
１  モーター台座
２  タンテーブル
３  ミドルテーブル
３Ａ  除け板装置
３１  出口
３２  プッシューボタン
３３  スライディングボード
３３１  網板
３３２  除け板
３４  スライドスロット
４  刀盤
４２  カッターライン
４３  Ｖ字形カッター
４３ａ  長いカッター
４３ｂ  短いカッター
５  カバー
５Ａ  枠カバー
５Ｂ  錐形カバー
５１  フィルター
５２  網枠
５３  底板
６  上蓋
６１  插管
６２  刀盤蓋
６３  排出槽
７  圧入管
８  果物ブロック
８１  くず
８２  果汁
８３  スムージー
９  刀盤蓋
９１  水平除け縁
９２  水平圧板
９３  除け壁
９４  浅い溝
９ａ、９ｂ  間隔
【図１】
0003116010.tif 000003
【図２】
0003116010.tif 000004
【図３】
0003116010.tif 000005
【図４】
0003116010.tif 000006
【図５】
0003116010.tif 000007
【図６】
0003116010.tif 000008
【図７】
0003116010.tif 000009
【図８】
0003116010.tif 000010
【図９】
0003116010.tif 000011
【図１０】
0003116010.tif 000012
【図１１】
0003116010.tif 000013